(57)【要約】【課題】バッテリ消費を抑えつつ、ＣＳＧセルの再選択に要する時間を抑える無線通信端末装置及び無線通信方法を提供する。【解決手段】制御部１０４は、セル選択部１０２によって選択されたセルの周辺にＣＳＧセルが存在する旨、フィンガープリント記憶部１０３から通知されると、所定時間が設定されたタイマー１０５を起動し、サーチ頻度制御部１０６は、タイマー１０５が満了するまでの間、通常の測定と、頻度Ａでオートノマスサーチを行うよう測定部１０１に指示する。サーチ頻度制御部１０６は、タイマー１０５が満了すると、通常の測定と、頻度Ａより低い頻度Ｂ（＜Ａ）に下げてオートノマスサーチを行うよう測定部１０１に指示する。【選択図】図２
2012044367.tif 000002
【特許請求の範囲】
【請求項１】
自装置が在圏したクローズドサブスクライバーグループ（ＣＳＧ）セルを含む所定のエリアを示す情報を記憶する記憶手段と、
周辺セルの無線品質情報に基づいて、前記周辺セルからサービングセルを選択するセル選択手段と、
選択されたセルと、記憶された前記情報の示すエリアとが一致する場合、所定時間内では、第１頻度によって前記ＣＳＧセルのサーチを行い、前記所定時間経過後では、前記第１頻度より低い第２頻度によって前記ＣＳＧセルのサーチを指示する制御手段と、
前記指示に基づいて、前記ＣＳＧセルのサーチを行う測定手段と、
を具備する無線通信端末装置。
【請求項２】
無線通信端末装置がサービングセルとして選択したセルと、前記無線通信端末装置が在圏したことのあるクローズドサブスクライバーグループ（ＣＳＧ）セルを含む所定のエリアとが一致する場合、所定時間内では、第１頻度によって前記ＣＳＧセルのサーチを行い、
前記所定時間経過後では、前記第１頻度より低い第２頻度によって前記ＣＳＧセルのサーチを行う、
無線通信方法。
【発明の詳細な説明】
【技術分野】
【０００１】
本発明は、３ＧＰＰ（3rd Generation Partnership Project）において規定されるＣＳＧ（Closed Subscriber Group）セルの再選択を実行する無線通信端末装置及び無線通信方法に関する。
【背景技術】
【０００２】
近年、携帯電話等に代表される無線通信端末装置（以下、「端末」という）による画像や動画等のデータ量の多い情報のダウンロード及びアップロードが普及するに伴い、データトラフィックが増加しつつある。増加するデータトラフィックを限られた無線資源に収容すべく無線利用効率を向上させる手法のひとつとして、端末向けの基地局の送信電力を抑えてセルを小さくし、セルを多数配置する手法がある。これにより、周波数の再利用率を向上させることができる。
【０００３】
端末及び基地局の国際標準化を行っている３ＧＰＰにおいても、セルサイズを抑える手法が議論されており、セルサイズを抑えるだけでなく、家庭やオフィスにセルを設置することを想定し、あらかじめ登録された端末のみアクセスを可能とするＣＳＧセル技術が規格標準化されている（例えば、非特許文献１及び非特許文献２参照）。
【０００４】
３ＧＰＰにおいて規定されるセル再選択では、端末が周辺セルをサーチし、周辺セルを検出できた場合は、検出したセルの品質を測定することにより、再選択が可能か否かを判断している。また、３ＧＰＰでは、端末の消費電力を抑えるため、端末がサーチ及び測定すべきキャリアやセル数を絞り、サーチすべき周辺セルが存在するキャリア番号や、周辺セルのスクランブリングコードをセル（基地局）から報知することが規定されている。
【０００５】
さらに、ＣＳＧセルをセル再選択する際は、端末がアクセスできないＣＳＧセルに対してもサーチ及び測定を行ってしまうと、端末はバッテリを無駄に消費してしまうので、これを避けるべく、セル再選択とは異なる方法でＣＳＧセルをサーチ及び測定することが規定されている。
【０００６】
具体的には、端末がアクセス可能なＣＳＧセルに手動又は自動で在圏（キャンプオン（camp on））すると、在圏したＣＳＧセルの位置情報及び当該ＣＳＧセル周辺のマクロセルのＩＤなどの情報（以下、「フィンガープリント（finger print）」という）を端末は記録しておく。これ以降において、図１に示すように、他のマクロセルに在圏していた端末（１）が移動に伴い、フィンガープリントに記載のマクロセルエリアに到達すると、端末はセル再選択を行う（２）。端末は、以前在圏したことのあるＣＳＧセルの近傍にいるか否かを判断し、通常の測定に加え、ＣＳＧセルの属する周波数についても自律的にサーチ及び測定を行う。これをオートノマスサーチ（autonomous search）という。実際に端末がＣＳＧセルのエリア内に入ると（３）、オートノマスサーチによりＣＳＧセルを検出し、セル再選択によりそのＣＳＧセルに在圏する（例えば、非特許文献１〜４参照）。
【０００７】
３ＧＰＰで規定されるセル再選択は、対象セルがセル再選択の条件を満たす場合にどの程度の時間で再選択すべきかについて規定されている。ＣＳＧセルに対しても、フィンガープリントに基づいて、アクセス可能なＣＳＧセルの近傍にいると判断した際にどの程度の時間でＣＳＧセルを再選択すべきかについて、３ＧＰＰ標準化上で議論されている（例えば、非特許文献５参照）。
【先行技術文献】
【非特許文献】
【０００８】
【非特許文献１】3GPP TS 36.304 V9.3.0
【非特許文献２】3GPP TS 25.304 V9.2.0
【非特許文献３】3GPP TS 45.008 V9.3.0
【非特許文献４】3GPP TS 36.300 V9.4.0
【非特許文献５】RP-100693, 3GPP TSG-RAN Meeting #48,“LS on CSG reselection requirements and testing”, Seoul, Korea, 1st-4th June 2010
【発明の概要】
【発明が解決しようとする課題】
【０００９】
しかしながら、端末がアクセス可能なＣＳＧセルの近傍にいると判断した際に、より短い時間でＣＳＧセルを再選択するように規定された場合、端末はそれだけ短い周期でＣＳＧセルをサーチする必要があり、バッテリの消費が多くなってしまう。逆に、より長い時間でＣＳＧセルを再選択するように規定された場合、バッテリの消費は抑えられるが、フィンガープリントにより端末がＣＳＧセルの近傍にいると判断しているにもかかわらず、アクセス可能なＣＳＧセルへ在圏するまでに要する時間が長くなってしまう。
【００１０】
特に、ＣＳＧセルのエリア外であるが、フィンガープリントにより端末がＣＳＧセルの近傍にいると判断するエリア（以下、「オートノマスサーチエリア（autonomous search area）」という）内に端末が存在する場合、端末は必ずしもＣＳＧセルを検出できるとは限らない。ＣＳＧセルを検出できない場合、短い周期でサーチを起動してしまい、結果としてバッテリ消費が多くなってしまうという問題がある。
【００１１】
本発明の目的は、バッテリ消費を抑えつつ、ＣＳＧセルの再選択に要する時間を抑える無線通信端末装置及び無線通信方法を提供することである。
【課題を解決するための手段】
【００１２】
本発明の無線通信端末装置は、自装置が在圏したクローズドサブスクライバーグループ（ＣＳＧ）セルを含む所定のエリアを示す情報を記憶する記憶手段と、周辺セルの無線品質情報に基づいて、前記周辺セルからサービングセルを選択するセル選択手段と、選択されたセルと、記憶された前記情報の示すエリアとが一致する場合、所定時間内では、第１頻度によって前記ＣＳＧセルのサーチを行い、前記所定時間経過後では、前記第１頻度より低い第２頻度によって前記ＣＳＧセルのサーチを指示する制御手段と、前記指示に基づいて、前記ＣＳＧセルのサーチを行う測定手段と、を具備する構成を採る。
【００１３】
本発明の無線通信方法は、無線通信端末装置がサービングセルとして選択したセルと、前記無線通信端末装置が在圏したことのあるクローズドサブスクライバーグループ（ＣＳＧ）セルを含む所定のエリアとが一致する場合、所定時間内では、第１頻度によって前記ＣＳＧセルのサーチを行い、前記所定時間経過後では、前記第１頻度より低い第２頻度によって前記ＣＳＧセルのサーチを行う、ようにした。
【発明の効果】
【００１４】
本発明によれば、バッテリ消費を抑えつつ、ＣＳＧセルの再選択に要する時間を抑えることができる。
【図面の簡単な説明】
【００１５】
【図１】従来の、移動に伴って変化する端末での処理の説明に供する図
【図２】本発明の実施の形態１に係る端末の構成を示すブロック図
【図３】図２に示した制御部の一連の処理を示すフロー図
【図４】本発明の実施の形態１に係る、移動に伴って変化する端末での処理の説明に供する図
【図５】本発明の実施の形態２に係る、移動に伴って変化する端末での処理の説明に供する図
【発明を実施するための形態】
【００１６】
以下、本発明の実施の形態について、図面を参照して詳細に説明する。
【００１７】
（実施の形態１）
図２は、本発明の実施の形態１に係る端末１００の構成を示すブロック図である。以下、図２を用いて端末１００の構成について説明する。
【００１８】
測定部１０１は、現在端末１００が選択しているサービングセルの無線品質の測定と、そのセルが報知している周辺セル（周波数など）の情報（ＮＣＬ：Neighbor Cell List）に基づいて、周辺セルの無線品質の測定（ここでは、これらの測定を「通常の測定」という）とを行うと共に、制御部１０４からの指示に基づいて、ＮＣＬに記載のないＣＳＧセルの周波数を測定（オートノマスサーチ）し、測定した無線品質情報をセル選択部１０２に出力する。
【００１９】
セル選択部１０２は、測定部１０１から出力された周辺セルの無線品質情報に基づいて、例えば、最も良好な無線品質のセルをサービングセルとして選択し、選択したセルのセルＩＤをフィンガープリント記憶部１０３に出力する。このとき、セル選択部１０２が、端末１００によるアクセスが可能なＣＳＧセルを選択した場合、選択したＣＳＧセルを含むマクロセルのグローバルセルＩＤ（global cell ID）もフィンガープリント記憶部１０３に出力する。
【００２０】
フィンガープリント記憶部１０３は、セル選択部１０２によってＣＳＧセルが選択された場合、セル選択部１０２から出力されたＣＳＧセルを含むマクロセルのグローバルセルＩＤをフィンガープリントとして記憶する。フィンガープリント記憶部１０３は、セル選択部１０２から出力されたセルＩＤと記憶されたフィンガープリントとが一致する場合、セル選択部１０２によって選択されたセルの周辺にＣＳＧセルが存在すると判定し、その旨、制御部１０４に通知する。
【００２１】
制御部１０４は、タイマー１０５及びサーチ頻度制御部１０６を備え、セル選択部１０２によって選択されたセルの周辺にＣＳＧセルが存在する旨、フィンガープリント記憶部１０３から通知されると、所定時間が設定されたタイマー１０５を起動し、サーチ頻度制御部１０６は、タイマー１０５が満了するまでの間、通常の測定と、頻度Ａでオートノマスサーチを行うよう測定部１０１に指示する。サーチ頻度制御部１０６は、タイマー１０５が満了すると、通常の測定と、頻度Ａより低い頻度Ｂ（＜Ａ）に下げてオートノマスサーチを行うよう測定部１０１に指示する。なお、制御部１０４は、フィンガープリント記憶部１０３から、セル選択部１０２によって選択されたセルの周辺にＣＳＧセルが存在すると通知されない場合には、所定のタイミングで通常の測定を行うよう測定部１０１に指示する。
【００２２】
なお、端末１００がＣＳＧセルエリア内に入ると、測定部１０１のオートノマスサーチによってＣＳＧセルが検出され、セル選択部１０２にてＣＳＧセルが選択される。
【００２３】
次に、図２に示した制御部１０４の一連の処理について図３を用いて説明する。ここでは、まず、端末１００がＣＳＧセルエリア外、かつ、オートノマスサーチエリア外に存在する場合を想定する。
【００２４】
図３において、ステップ（以下、「ＳＴ」と省略する）２０１では、端末１００がＣＳＧセルエリア外であり、かつ、オートノマスサーチエリア内であるか否かを判定する。具体的には、制御部１０４は、セル選択部１０２によって選択されたセルの周辺にＣＳＧセルが存在すると通知されたか否かを判定する。この条件に該当する（ＹＥＳ）場合、ＳＴ２０２に移行し、この条件に該当しない（ＮＯ）場合、ＳＴ２０７に移行する。
【００２５】
ＳＴ２０２では、タイマー１０５を起動し、ＳＴ２０３では、タイマー１０５が満了したか否かを判定する。タイマー１０５が満了していない場合（ＮＯ）、ＳＴ２０４に移行し、タイマー１０５が満了した場合（ＹＥＳ）、ＳＴ２０５に移行する。
【００２６】
ＳＴ２０４では、通常の測定及び頻度Ａでオートノマスサーチを行うよう測定部１０１に指示し、ＳＴ２０５では、通常の測定及び頻度Ａより低い頻度Ｂでオートノマスサーチを行うよう測定部１０１に指示する。
【００２７】
ＳＴ２０６では、端末１００がオートノマスサーチエリア内に存在するか否かを判定し、オートノマスサーチエリア内に存在する場合（ＹＥＳ）、ＳＴ２０３に戻り、オートノマスサーチエリア内に存在しない場合（ＮＯ）、ＳＴ２０７に移行する。
【００２８】
ＳＴ２０７では、通常の測定を行うよう測定部１０１に指示し、制御部１０４の一連の処理を終了する。
【００２９】
次に、端末１００の移動に伴って変化する端末１００での処理について図４を用いて説明する。他のマクロセルに在圏していた端末１００（図中（１）に相当）が移動に伴い、フィンガープリントに記載のマクロセルエリアに到達すると、セル再選択を行う（図中（２）に相当）。端末１００は、以前在圏したことのあるＣＳＧセルの近傍にいると判断し、通常の測定に加え、ＣＳＧセルの属する周波数についてもオートノマスサーチを行う。このとき、制御部１０４はタイマー１０５を起動し、タイマー１０５が満了するまでの間、測定部１０１は頻度Ａでオートノマスサーチを行う。これにより、ＣＳＧセルの再選択に要する時間を抑えることができる。
【００３０】
続いて、タイマー１０５が満了すると、測定部１０１は、頻度Ａより低い頻度Ｂでオートノマスサーチを行う。これにより、端末１００が無駄なバッテリを消費することを抑えることができる。これは、タイマー起動より一定時間が経過しているため、ＣＳＧセルの再選択に要する時間を抑えることに主眼をおくよりも、端末１００のバッテリ消費を抑えることに主眼をおく方がシステムとして効率がよいからである。
【００３１】
このように、オートノマスサーチエリア、すなわち、フィンガープリントに記載されたエリア内に端末１００が入ってからの経過時間によってオートノマスサーチの頻度を切り替え、端末１００のバッテリ消費の抑制及びＣＳＧセルの再選択に要する時間の抑制の両立を図っている。
【００３２】
端末１００がＣＳＧセルのエリア内に入ると（図中（３）に相当）、オートノマスサーチにより、ＣＳＧセルを検出し、セル再選択によりそのＣＳＧセルに在圏する。
【００３３】
このように、実施の形態１によれば、端末がＣＳＧセルエリア外であり、かつ、オートノマスサーチエリア内に移動した場合、所定時間が設定されたタイマーを起動し、タイマーが満了するまでの間、端末は頻度Ａでオートノマスサーチを行い、タイマーが満了すると、端末は頻度Ａより低い頻度Ｂでオートノマスサーチを行うことにより、端末のバッテリ消費を抑えつつ、ＣＳＧセルの再選択に要する時間を抑えることができる。
【００３４】
（実施の形態２）
実施の形態１では、端末がオートノマスサーチエリア外のマクロセルからオートノマスサーチエリア内に移動する場合を想定して説明したが、本発明の実施の形態２では、端末がＣＳＧセルのエリア内からエリア外に移動する場合を想定して説明する。
【００３５】
本発明の実施の形態２に係る端末の構成は、実施の形態１の図２に示した構成と同様であるので、図２を援用して説明する。
【００３６】
ここで、端末１００の移動に伴って変化する端末１００での処理について図５を用いて説明する。ＣＳＧセルに在圏していた端末１００（図中（１）に相当）が移動に伴い、ＣＳＧセルエリア外に出ると、端末１００はフィンガープリントに記載のマクロセルを再選択する（図中（２）に相当）。端末１００は、フィンガープリントに記載のマクロセルに在圏していることから、ＣＳＧセルが近傍にあると判断し、通常の測定に加え、ＣＳＧセルの属する周波数についてもオートノマスサーチを行う。このとき、制御部１０４はタイマー１０５を起動し、タイマー１０５が満了するまでの間、測定部１０１は頻度Ａでオートノマスサーチを行う。これにより、端末１００がＣＳＧセルのエリア外に出た後、すみやかにＣＳＧセルのエリア内に戻る場合、ＣＳＧセルの再選択に要する時間を抑えることができる。
【００３７】
続いて、タイマー１０５が満了すると、測定部１０１は、頻度Ａより低い頻度Ｂでオートノマスサーチを行う。これにより、端末１００が無駄なバッテリを消費することを抑えることができる。これは、タイマー起動より一定時間が経過しているため、ＣＳＧセルの再選択に要する時間を抑えることに主眼をおくよりも、端末１００のバッテリ消費を抑えることに主眼をおく方がシステムとして効率がよいからである。
【００３８】
端末１００がオートノマスサーチエリア外に出ると（図中（３）に相当）、オートノマスサーチは停止され、通常の測定のみが行われる。なお、タイマー満了前にオートノマスサーチエリア外に出た場合にも、オートノマスサーチは停止される。
【００３９】
このように、実施の形態２によれば、端末がＣＳＧセルエリア外であり、かつ、オートノマスサーチエリア内に移動した場合、所定時間が設定されたタイマーを起動し、タイマーが満了するまでの間、端末は頻度Ａでオートノマスサーチを行い、タイマーが満了すると、端末は頻度Ａより低い頻度Ｂでオートノマスサーチを行うことにより、端末のバッテリ消費を抑えつつ、ＣＳＧセルの再選択に要する時間を抑えることができる。
【００４０】
なお、上記各実施の形態では、フィンガープリントの例として、ＣＳＧセルを含むマクロセルのセルＩＤとしたが、本発明はこれに限らず、例えば、端末がＣＳＧセルに在圏した際にＧＰＳ等によって取得した位置情報を基準に半径１００ｍ以内をフィンガープリントとしてもよい。
【産業上の利用可能性】
【００４１】
本発明にかかる無線通信端末装置及び無線通信方法は、移動通信システム等に適用出来る。
【符号の説明】
【００４２】
１０１  測定部
１０２  セル選択部
１０３  フィンガープリント記憶部
１０４  制御部
１０５  タイマー
１０６  サーチ頻度制御部
【図１】
2012044367.tif 000003
【図２】
2012044367.tif 000004
【図３】
2012044367.tif 000005
【図４】
2012044367.tif 000006
【図５】
2012044367.tif 000007